(57)【要約】【課題】プロサッカーでのリーグ戦績を勝ち点累計や得点累計も含めて記載できるようにした表を形成し、リーグ戦での成績が簡単に把握できるようにする。【解決手段】チーム名枠３に対して試合に応じた対戦結果情報記載枠５を並べ、その対戦結果情報記載枠５に、試合対戦チーム名と試合対戦チームの得点と、対象チームの得点と、対象チームの得点累計の値と、対象チームの勝ち点累計の値とを記載できるようにした。【選択図】    図１
0003101880.tif 000002
【実用新案登録請求の範囲】
【請求項１】
紙面上の互いに直交する方向のＸ方向とＹ方向との内、一方の前記Ｙ方向に沿って、チーム名を予め表示したチーム名枠がチームの前リーグ戦成績順にして並ぶチーム名欄を設け、
該チーム名欄の前記チーム名枠に、該チーム名枠に記載された対象チームと試合対戦チームとの試合に対応して試合対戦チームのチーム名を予め表示した試合対戦チーム名表示部を有する複数の対戦結果情報記載枠を試合日順にしてＸ方向に並び設け、
チーム名枠に対してＸ方向に並ぶ前記対戦結果情報記載枠それぞれに、前記試合対戦チーム名表示部に表示された試合対戦チームの得点を記載する試合対戦チーム得点記載部と、前記チーム名枠に記載された対象チームの得点を記載する対象チーム得点記載部と、チーム名枠に記載された対象チームの既試合での得点累計と前記対象チーム得点記載部に記載する得点との合計を記載する得点累計記載部と、チーム名枠に記載された対象チームの既試合での勝ち点累計と試合対戦チーム名表示部に表示された対戦試合チームとの試合での勝ち点との合計を記載する勝ち点累計記載部とを、各対戦結果情報記載枠それぞれで同一位置にして設けられていることを特徴とするプロサッカーのリーグ戦成績記録用紙。
【請求項２】
一つの対象チームのチーム名を予め表示し、対象チームと試合対戦チームとの試合に対応して試合対戦チームのチーム名を予め表示した試合対戦チーム名表示部を有する複数の対戦結果情報記載枠を試合日順にして一方向に並び設け、
前記対戦結果情報記載枠それぞれに、前記試合対戦チーム名表示部に表示された試合対戦チームの得点を記載する試合対戦チーム得点記載部と、前記チーム名枠に記載された対象チームの得点を記載する対象チーム得点記載部と、チーム名枠に記載された対象チームの既試合での得点累計と前記対象チーム得点記載部に記載する得点との合計を記載する得点累計記載部と、チーム名枠に記載された対象チームの既試合での勝ち点累計と試合対戦チーム名表示部に表示された対戦試合チームとの試合での勝ち点との合計を記載する勝ち点累計記載部とを、各対戦結果情報記載枠それぞれで同一位置にして設けられていることを特徴とするプロサッカーのリーグ戦成績記録用紙。
【考案の詳細な説明】
【技術分野】
【０００１】
本考案は日本におけるプロサッカーで行われているリーグ戦の成績を記録してリーグ戦中などでのチームの成績を把握し易くする記録用紙に関するものである。
【背景技術】
【０００２】
従来からサッカーによらず各種のスポーツにおいてトーナメント戦方式やリーグ戦形式で試合が行われている。そして、日本におけるプロサッカーにおいてはリーグ戦が主たる試合として運営されており、試合成績がリーグ参加チームの順位を左右していることから、サッカーファンなどは応援するチームの順位を知ることでゲームをより楽しむことができる。このようなリーグ戦での試合成績を表すものとしては、参加チーム名を縦欄と横欄とのそれぞれに順に表し、横欄に表したチームの縦欄のチームに対する試合結果を、その横欄のチーム名枠の右方向と縦欄のチーム名枠の下方向との交差部分に位置する枠に書き込む、いわゆるリーグ対戦表がよく利用されている。
【考案の開示】
【考案が解決しようとする課題】
【０００３】
ところで、日本におけるプロサッカーの十数チームが参加するリーグ戦の試合運営では、総当たりするように組まれた全試合を日分けして各地で開催（ホームアンドアウエイ方式）して試合が進むようにしている。
しかしながら、リーグ戦に参加するチームの数が多い場合において従来からのリーグ対戦表を用いると、試合結果の情報が書き込まれた位置が散逸的となり、チーム毎の成績を把握し難いという不都合がある。
また、日本でのプロサッカーにおけるリーグ戦試合運営においては、対戦チームの組み合わせ、対戦日時、ゲーム地などが予め日程として公表されることから、例えば縦方向にチーム名枠を並べ、そのチーム名枠それぞれに横方向にして予め組まれている試合に対応した試合情報書込み枠をその試合日時順に並べた一覧表とすることが提案されている。
しかし、日本のプロサッカーでのリーグ戦成績として勝敗だけでなく、勝ち点、得点が重要であり、その累計からチーム成績順位が明確となるが、これらの情報を記載できる表は何ら提案されていなかった。
そこで本考案は上記事情に鑑み、日本におけるプロサッカーでのリーグ戦績を勝ち点累計や得点累計も含めて記載できる表を得ることを課題とし、リーグ戦での成績が簡単に把握できるようにすることを目的とする。
【課題を解決するための手段】
【０００４】
本考案は上記課題を考慮してなされたもので、紙面上の互いに直交する方向のＸ方向とＹ方向との内、一方の前記Ｙ方向に沿って、チーム名を予め表示したチーム名枠がチームの前リーグ戦成績順にして並ぶチーム名欄を設け、該チーム名欄の前記チーム名枠に、該チーム名枠に記載された対象チームと試合対戦チームとの試合に対応して試合対戦チームのチーム名を予め表示した試合対戦チーム名表示部を有する複数の対戦結果情報記載枠を試合日順にしてＸ方向に並び設け、チーム名枠に対してＸ方向に並ぶ前記対戦結果情報記載枠それぞれに、前記試合対戦チーム名表示部に表示された試合対戦チームの得点を記載する試合対戦チーム得点記載部と、前記チーム名枠に記載された対象チームの得点を記載する対象チーム得点記載部と、チーム名枠に記載された対象チームの既試合での得点累計と前記対象チーム得点記載部に記載する得点との合計を記載する得点累計記載部と、チーム名枠に記載された対象チームの既試合での勝ち点累計と試合対戦チーム名表示部に表示された対戦試合チームとの試合での勝ち点との合計を記載する勝ち点累計記載部とを、各対戦結果情報記載枠それぞれで同一位置にして設けられていることを特徴とするプロサッカーのリーグ戦成績記録用紙を提供して、上記課題を解消するものである。
【０００５】
またもう一つの考案は、一つの対象チームのチーム名を予め表示し、対象チームと試合対戦チームとの試合に対応して試合対戦チームのチーム名を予め表示した試合対戦チーム名表示部を有する複数の対戦結果情報記載枠を試合日順にして一方向に並び設け、前記対戦結果情報記載枠それぞれに、前記試合対戦チーム名表示部に表示された試合対戦チームの得点を記載する試合対戦チーム得点記載部と、前記チーム名枠に記載された対象チームの得点を記載する対象チーム得点記載部と、チーム名枠に記載された対象チームの既試合での得点累計と前記対象チーム得点記載部に記載する得点との合計を記載する得点累計記載部と、チーム名枠に記載された対象チームの既試合での勝ち点累計と試合対戦チーム名表示部に表示された対戦試合チームとの試合での勝ち点との合計を記載する勝ち点累計記載部とを、各対戦結果情報記載枠それぞれで同一位置にして設けられていることを特徴とするプロサッカーのリーグ戦成績記録用紙であり、このプロサッカーのリーグ戦成績記録用紙を提供して上記課題を解消するものである。
【考案の効果】
【０００６】
本考案によれば、並び設けられる対戦結果情報記載枠それぞれに、対象チームの得点累計を記載する得点累計記載部と勝ち点累計記載部とが設けられているため、この得点累計記載部と勝ち点累計記載部とのそれぞれに累計値を試合を経た後にその都度記載することができ、その計算も容易に行なえ、そして、対象チームにおける得点累計値や勝ち点累計値が、最新の試合における対戦結果情報記載枠に記載された情報から容易に判断できるなど、実用性に優れた効果を奏するものである。
【考案を実施するための最良の形態】
【０００７】
つぎに本考案を図１から図３に示す実施の形態に基づいて詳細に説明する。
図中１はプロリーグサッカーのリーグ戦成績記録用紙で、以下に示す所要の情報の記載によって対象チームのリーグ戦での成績を把握し易くしたものである。このリーグ戦成績記録用紙１は、図１に示すように紙面の片面にリーグ戦の複数の参加チームのチーム名ａが表示された部分を備える表２が形成されている。この表２は互いに直交する方向のＸ方向とＹ方向との内、縦方向であるＹ方向に沿って、チーム名ａを予め表示したチーム名枠３がリーグ戦参加チームの前リーグ戦成績順にして並ぶチーム名欄４が設けられている。
また、横方向であるＸ方向には対戦結果情報記載枠５が試合開催日数分にして日付枠６を並べた日付欄７が設けられていて、対戦結果情報記載枠５のＸ方向での並びが前記日付欄７の下方となる位置としながら、上記チーム名欄４のチーム名枠３のＸ方向に並べられ、各対戦結果情報記載枠５が日付枠６の下方位置となるように揃えられている。さらに、この対戦結果情報記載枠５には、チーム名枠３に記載された対象チームと試合対戦チームとの試合に対応して試合対戦チームのチーム名ｂを予め表示した試合対戦チーム名表示部８を、その対戦結果情報表示枠５それぞれの同一位置にして設けられている。
【０００８】
さらに、図２に示すように、上記対戦結果情報記載枠５には、上記試合対戦チーム名表示部８の下位置にしてＸ状罫線で上下左右の四方に仕切られた領域に、試合対戦チーム得点記載部９、対象チーム得点記載部１０、得点累計記載部１１、勝ち点累計記載部１２とが、対戦結果情報記載枠５それぞれで同一位置にして設けられていて、対戦結果情報記載枠５で表される試合で得られた情報を各部に記載することができるようにしている。
まず、試合対戦チーム得点記載部９は前記試合対戦チーム名表示部８の下に位置し、その試合対戦チーム名表示部８に表示された試合対戦チームと、当該対戦結果情報記載枠５のＸ方向にあるチーム名枠３に表示された対象チームとの試合に際して、試合対戦チームの得点を記載する。
つぎに対象チーム得点記載部１０はチーム名枠３側の領域に位置し、ここに対象チームの得点を記載する。
得点累計記載部１１は仕切られた領域の内、下に位置する部分にあり、ここには対象チームの既試合での得点累計と上記対象チーム得点記載部１０に記載する得点との合計を記載するところである。チーム名枠３に最も近接する対戦結果情報記載枠５は最初の試合に対応するものであるため、得点累計記載部１１と対象チーム得点記載部１０とに記載される値は同じとなり、各試合を経るごとに、当該対戦結果情報記載枠５で表示される試合より一つ前の試合の対戦結果情報記載枠５での得点累計と、当該対戦結果情報記載枠５で表示される試合での対象チームの得点とを合計する操作をし、最新の試合に対応する対戦結果情報記載枠５の得点累計記載部１１に示された数値をみることで、対象チームにおけるリーグ戦での得点合計が簡単に分かるようになる。
上記勝ち点累計記載部１２は、上記対象チーム得点記載部１０とは反対側の位置にあり、ここには対象チームの既試合での勝ち点累計と当該対戦結果情報記載枠５が対応する試合での対象チームの勝ち点との合計を記載するところである。チーム名枠３に最も近接する対戦結果情報記載枠５は最初の試合に対応するものであるため、その試合での勝ち点となり（既試合がないため）、各試合を経るごとに、当該対戦結果情報記載枠５で表示される試合より一つ前の試合の対戦結果情報記載枠５での勝ち点累計（一つ前の勝ち点累計記載部に記載された値）と、当該対戦結果情報記載枠５で表示される試合での対象チームの勝ち点とを合計する操作をし、最新の試合に対応する対戦結果情報記載枠５の勝ち点累計記載部１２に示された数値をみることで、対象チームにおけるリーグ戦での勝ち点合計が簡単に分かるようになる。
対戦結果情報記載枠５それぞれに上記情報を記載する際の累計計算は、前位置（Ｘ方向）での対戦結果情報記載枠５の同一位置に記載されている数値との合計であるために頗る簡単であり、各チームのリーグ戦での成績はチーム名枠３からＸ方向に最も離れた位置での対戦結果情報記載枠５に記載されている情報から容易に判断できる。
【０００９】
符号１３は各チーム名枠３に対して上記対戦結果情報記載枠５の並びに沿うようにして配置された勝ち点累計表示棒グラフ用の目盛部であり、チーム名枠側の端部を基端として勝ち点累計の変化に合わせて目盛表示を塗りつぶしたり、その塗りつぶしを消したり（勝ち点がマイナスの場合）することで、参加チーム全体での勝ち点累計での差が明確に分かるようになる。また、符号１４は各参加チームの前リーグ戦順位を表示した前リーグ戦順位表示枠を示している。
【００１０】
上記実施の形態では全リーグ戦参加チームのリーグ戦での成績を表示するリーグ戦成績記録用紙１を説明したが、対象チームが一チームでリーグ戦成績記録用紙１を構成するようにしてもよい。その例を図３に示す。
この場合のリーグ戦成績記録用紙１は、一つの対象チームのチーム名ａを表題などとして予め表示し、さらに例えばＸ方向に複数の対戦結果情報記載枠５を試合日順にして並び設けている。そして、上記実施の形態と同じように、各対戦結果情報記載部５それぞれには、対象チームと試合試合が組まれている試合対戦チームのチーム名ｂを予め表示した試合対戦チーム名表示部８を有している。また、この対戦結果情報記載枠５の並びに沿って日付枠６を対戦結果情報記載枠５それぞれに対応させながら並べた日付欄７が配置されている。
さらに、上記対戦結果情報記載枠５それぞれには、試合対戦チーム得点記載部９と対象チーム得点記載部１０と得点累計記載部１１と勝ち点累計記載部１２とが上記実施の形態と同じようにして設けられている。
この例の場合においても、対象チームが試合を経るごとに試合対戦チーム得点記載部９と対象チーム得点記載部１０とに値を書き込み、得点累計記載部１１と勝ち点累計記載部１２とに累計計算をした値を書き込めばよい。そして、最新の試合での対戦結果情報記載枠５での得点累計記載部１１と勝ち点累計記載部１２との値から、対象チームのリーグ戦での成績が分かるようになる。
【図面の簡単な説明】
【００１１】
【図１】本考案に係るプロサッカーのリーグ戦成績記録用紙の一例を示す説明図である。
【図２】一例における対戦結果情報記載枠を示す説明図である。
【図３】他の例を示す説明図である。
【符号の説明】
【００１２】
１…リーグ戦成績記録用紙
２…表
３…チーム名枠
４…チーム名欄
５…対戦結果情報記載枠
６…日付枠
７…日付欄
８…試合対戦チーム名表示部
９…試合対戦チーム得点記載部
１０…対象チーム得点記載部
１１…得点累計記載部
１２…勝ち点累計記載部
１３…目盛部
【図１】
0003101880.tif 000003
【図２】
0003101880.tif 000004
【図３】
0003101880.tif 000005